(57)【要約】【課題】両開き扉を同期して開閉させる。【解決手段】両開き扉２８の各扉２８ａ，２８ｂの上部を、第１及び第２回転軸４２ａ，４２ｂにより別々に軸支する。各扉２８ａ，２８ｂの上部に互いに噛合する第１及び第２ギヤ部４４ａ，４４ｂを形成する。スライダ４６を第１スライド方向にスライド移動自在に保持する。扉インサートピン４８の一端部を第１扉２８ａに固定し、他端部をスライダ４６に対して第２スライド方向にスライド移動自在に係合させる。スライダ移動機構５０によりスライダ４６を往復移動させ、スライダ４６及び扉インサートピン４８を介して第１扉２８ａを開閉させる。第２扉２８ｂも両ギヤ部４４ａ，４４ｂを介して第１扉２８ａに連動して開閉されるので、両開き扉２８を同期して開閉させることができる。【選択図】図２
2008113757.tif 000002
【特許請求の範囲】
【請求項１】
遊技の過程で当たり又はハズレを決める電子抽選を行うとともに、前記電子抽選の結果に基づいて図柄の変動表示を行って停止した図柄の種類により当たりか否かの表示を行う遊技機に設けられ、前記図柄の変動表示中に前記電子抽選の結果に基づいて演出を実行する遊技機用演出装置において、
一対の扉からなり、前記一対の扉同士が当接して扉裏面側に配置された演出用役物を隠す閉じ状態、及び前記一対の扉が互いに遠ざかる方向に変位して前記演出用役物を露出させる開き状態に開閉可能な両開き扉と、
前記両開き扉のうち一方の扉を閉じ位置または開き位置に変位させたときに、前記一方の扉の変位に連動して他方の扉を前記閉じ位置または前記開き位置に変位させる連動機構と、
前記一方の扉を前記閉じ位置と前記開き位置との間で変位させて、前記両開き扉を開閉させる扉開閉機構と、
前記電子抽選の結果に基づいて前記両開き扉が、前記図柄の変動表示中に複数回開閉されるように、前記扉開閉機構を制御する制御部とを備えることを特徴とする遊技機用演出装置。
【請求項２】
前記両開き扉の各々の上下方向の扉一端部は、前記両開き扉の左右方向に並べて配置され且つ前記両開き扉の表面に略垂直な一対の回転軸により別々に軸支され、
前記連動機構は、前記両開き扉の各々の前記扉一端部に一体に形成され、互いに噛合する一対のギヤ部であり、
前記両開き扉は、前記一方の扉が回転されたときに、前記他方の扉が前記一対のギヤ部を介して逆方向に連動して回転されることで、前記閉じ状態と前記開き状態とに開閉されることを特徴とする請求項１記載の遊技機用演出装置。
【請求項３】
前記扉開閉機構は、
前記上下方向にスライド移動自在に保持されているスライダと、
一端部が前記一方の扉の前記上下方向の扉他端部に固定され、他端部が前記スライダに対して前記左右方向にスライド移動自在に係合している係合部材と、
モータを駆動源として前記スライダを前記上下方向に往復移動させることで、前記スライダを介して前記係合部材を前記左右方向に往復移動させると共に、前記係合部材を介して前記一方の扉を正逆回転させて、前記両開き扉を開閉させるスライダ移動機構とから構成されることを特徴とする請求項２記載の遊技機用演出装置。
【請求項４】
前記両開き扉が前記閉じ状態にあるときの前記スライダの位置を原点位置として、前記スライダが前記原点位置にあるか否かを検出する検出部を備え、
前記制御部は、前記検出部による検出に基づき、前記両開き扉が前記閉じ状態にあると判定することを特徴とする請求項３記載の遊技機用演出装置。
【発明の詳細な説明】
【技術分野】
【０００１】
本発明は、パチンコ機などの遊技機に設けられ、電子抽選の結果に基づいて図柄変動表示中に演出を実行する遊技機用演出装置に関するものある。
【背景技術】
【０００２】
パチンコ店等の遊技場に設置されて使用されるパチンコ機が知られている。パチンコ機は、遊技盤に向かって打ち出された遊技球が特定の入賞口に入賞した時に当たり又はハズレを決定する電子抽選を行い、当たりが抽選された際には多数の賞球を獲得できる遊技が行える。この電子抽選の結果は、遊技盤に設けられた図柄表示装置に表示される。図柄表示装置では、数字等からなる複数種類の図柄を変動させる変動表示が行われ、この変動表示が開始されてから一定時間が経過すると、画面上に図柄が停止して表示される。この時に、例えば３つの同じ図柄が一列に揃うと当たりを表し、これ以外の並び方をした場合にはハズレを表す。
【０００３】
図柄が変動表示される期間は、図柄の背景としてアニメーション画像等の演出画像が表示される。演出画像は多様な種類が用意されており、当たりの場合とハズレの場合とで特定の演出画像が選択される確率が予め決められている。例えば、当たりの場合に選択され易く、ハズレの場合に選択され難い演出画像が表示されると、遊技者は当たりに対する高い期待感を抱くことができる。
【０００４】
また、近年では演出効果をより高めるために、観音開き式やスライド式の両開き扉と、両開き扉の裏面側に配置されたキャラクタ人形等の演出用役物と、両開き扉を開閉させる扉開閉機構とから構成される演出装置が、図柄表示装置の近傍に設けられているパチンコ機が増加している（特許文献１参照）。このようなパチンコ機では、演出画像の表示に合わせて図柄変動表示中に両開き扉を開閉させて、演出用役物を露出または隠すことで、演出画像表示のみでは表現できない臨場感のある演出を行うことができる。
【特許文献１】特開２００４−２８３５５５号公報
【発明の開示】
【発明が解決しようとする課題】
【０００５】
ところで、上記の演出装置を備えるパチンコ機の扉開閉機構は、２個のモータを駆動源として、各モータにより各種ギヤを介して両開き扉の各扉を個別に開閉するのが一般的である。このように、両開き扉の各扉を別個のモータを用いて開閉する場合には、各扉が同期して開閉されるように調整を行うのに手間が掛かる。具体的には、各モータの駆動のタイミングの調整などのソフト的な調整と、ギヤの数やギヤ間のバックラッシの調整などのメカ的な調整とを行う必要があるため、これらの調整に手間が掛かり、パチンコ機の製造コストが高くなるという問題が生じてしまう。また、モータを２個設置する必要があるため、演出装置が大型化してしまうという問題もある。
【０００６】
本発明は上記問題を解決するためになされたものであり、複雑な調整を行うことなく図柄変動表示中に両開き扉を同期して開閉可能な遊技機用演出装置を提供することを目的とする。
【課題を解決するための手段】
【０００７】
本発明は、遊技の過程で当たり又はハズレを決める電子抽選を行うとともに、前記電子抽選の結果に基づいて図柄の変動表示を行って停止した図柄の種類により当たりか否かの表示を行う遊技機に設けられ、前記図柄の変動表示中に前記電子抽選の結果に基づいて演出を実行する遊技機用演出装置において、一対の扉からなり、前記一対の扉同士が当接して扉裏面側に配置された演出用役物を隠す閉じ状態、及び前記一対の扉が互いに遠ざかる方向に変位して前記演出用役物を露出させる開き状態に開閉可能な両開き扉と、前記両開き扉のうち一方の扉を閉じ位置または開き位置に変位させたときに、前記一方の扉の変位に連動して他方の扉を前記閉じ位置または前記開き位置に変位させる連動機構と、前記一方の扉を前記閉じ位置と前記開き位置との間で変位させて、前記両開き扉を開閉させる扉開閉機構と、前記電子抽選の結果に基づいて前記両開き扉が、前記図柄の変動表示中に複数回開閉されるように、前記扉開閉機構を制御する制御部とを備えることを特徴とする。
【０００８】
前記両開き扉の各々の上下方向の扉一端部は、前記両開き扉の左右方向に並べて配置され且つ前記両開き扉の表面に略垂直な一対の回転軸により別々に軸支され、前記連動機構は、前記両開き扉の各々の前記扉一端部に一体に形成され、互いに噛合する一対のギヤ部であり、前記両開き扉は、前記一方の扉が回転されたときに、前記他方の扉が前記一対のギヤ部を介して逆方向に連動して回転されることで、前記閉じ状態と前記開き状態とに開閉されることが好ましい。
【０００９】
前記扉開閉機構は、前記上下方向にスライド移動自在に保持されているスライダと、一端部が前記一方の扉の前記上下方向の扉他端部に固定され、他端部が前記スライダに対して前記左右方向にスライド移動自在に係合している係合部材と、モータを駆動源として前記スライダを前記上下方向に往復移動させることで、前記スライダを介して前記係合部材を前記左右方向に往復移動させると共に、前記係合部材を介して前記一方の扉を正逆回転させて、前記両開き扉を開閉させるスライダ移動機構とから構成されることが好ましい。
【００１０】
前記両開き扉が前記閉じ状態にあるときの前記スライダの位置を原点位置として、前記スライダが前記原点位置にあるか否かを検出する検出部を備え、前記制御部は、前記検出部による検出に基づき、前記両開き扉が前記閉じ状態にあると判定することが好ましい。
【発明の効果】
【００１１】
本発明は、両開き扉の一方の扉を閉じ位置または開き位置に変位させたときに、この一方の扉の変位に連動して他方の扉も閉じ位置または開き位置に変位されるようにしたので、従来のように両開き扉を開閉するための駆動源を２つ設ける必要が無くなり、１つの駆動源で両開き扉の開閉を行うことができる。これにより、複雑なソフト的及びメカ的な調整を行うことなく、図柄の変動表示中に両開き扉の各扉を同期して複数回開閉させることができる。その結果、従来よりも遊技機の製造コストを低く抑えることができる。また、駆動源の数が１つでよいので、演出装置が大型化することが防止される。
【００１２】
また、両開き扉の一方の扉の回転に連動して、他方の扉が一対のギヤ部を介して逆方向に回転されるようにしたので、同様に１つの駆動源で両開き扉の開閉を行うことができる。さらに、この場合には、両開き扉の各々の扉一端部を一対の回転軸で別々に軸支するようにしているので、連動機構を一対のギヤ部のみで構成することができる。その結果、連動機構が複雑化して演出装置が大型化することや、遊技機（演出装置）の製造コストが高くなることが防止される。
【００１３】
また、モータによりスライダ及び係合部材を介して両開き扉の一方の扉を正逆回転させることで、両開き扉の開閉を行うようにしたので、モータにより減速ギヤを介して一方の扉を正逆回転させる場合と比較して、両開き扉の開閉をゆっくり行うことができる。また、両開き扉の僅かな開閉を容易に行うことができる。さらに、両開き扉を所定のタイミングで連続して開閉させることが容易にできる。
【００１４】
また、スライダが検出部により検出されたときに、両開き扉が閉じ状態にあると判定するようにしたので、両開き扉が閉じ状態にあるか否かを容易に検出することができる。その結果、両開き扉を開き状態から閉じ状態に容易に戻すことができる。
【発明を実施するための最良の形態】
【００１５】
図１に示すように、本発明の遊技機に相当するパチンコ機１０は遊技盤１２を備えている。遊技盤１２の前面には、遊技領域１４が形成されており、打ち出された遊技球は遊技領域１４を流下する。遊技領域１４には、始動入賞口１６と通常入賞口１８とが設けられている。遊技球が各入賞口１６，１８に入賞すると予め決められた個数の遊技球が賞球として払い出される。払い出された遊技球は、遊技に使用することができる。なお、図示は省略するが、遊技領域１４には、流下する遊技球の動きに変化を与える遊技釘が設けられている。
【００１６】
始動入賞口１６に遊技球が入賞すると当たり又はハズレを決定する電子抽選が行われる。当たりに当選すると当たりモードに移行し、アタッカ２０が開放される。アタッカ２０が開放されるとその内面で遊技球の大半が大入賞口（図示せず）に案内され、多数の賞球を得ることができる。アタッカ２０は大入賞口に所定個数（例えば１０個）の遊技球が入賞するか又は開放時間が例えば３０秒になると閉じられ、これにより第１ラウンドが終了する。当たりモードではアタッカ２０の開閉が繰り返されて所定ラウンド数（例えば第１５ラウンド）で終了する。
【００１７】
遊技領域１４の中央部にはセンター役物２２が設けられている。センター役物２２の中には、電子抽選の結果を表示する図柄表示装置（例えば液晶ディスプレイなど）２４が設けられている。センター役物２２には、その周囲に設けられた取り込み口（図示せず）から遊技球を取り込み、取り込んだ遊技球を他の位置へ誘導する誘導ルート（図示せず）が形成されている。誘導ルートは遊技球を始動入賞口１６に入賞しやすい位置等に誘導する。
【００１８】
図柄表示装置２４の表示画面には、例えば１列が０〜９の数字からなる３列の図柄２５が表示される。始動入賞口１６に遊技球が入賞すると図柄２５の変動表示が開始され、図柄２５が上から下へスクロールする。図柄２５は１列ずつ順次（例えば左→右→中の順）停止し、全ての図柄２５が停止したときに同一図柄２５（例えば７７７など）が揃っていると当たり、それ以外ではハズレとなる。同一図柄２５が揃うためには、左右に２つの同一図柄２５が揃い、残り１つの図柄２５が揃えば当たりの表示になるリーチ表示を経由することになる。図柄２５の変動表示は、複数種類の変動パターンから抽選で決定された変動パターンで行われる。
【００１９】
また、図柄表示装置２４は、図柄２５の変動表示中にアニメーション画像や実写映像などの演出画像の表示も行う。演出画像は多様な種類が用意されており、当たりの場合とハズレの場合とで特定の演出画像が選択される確率が予め決められている。例えば、当たりの場合に選択され易く、ハズレの場合に選択され難い演出画像が表示されると、遊技者は当たりに対する高い期待感を抱くことができる。
【００２０】
センター役物２２の中には、本発明を実施した演出装置（遊技機用演出装置）２６が図柄表示装置２４の上方に設けられている。演出装置２６は両開き扉２８を備えている。両開き扉２８が開かれると、キャラクタ人形や模型等の演出用役物３０（図３参照）が露出される。両開き扉２０の開閉は、上述の図柄表示装置２４での図柄変動表示中に行われる。この両開き扉２０の開閉パターンも演出画像と同様に多様な種類が用意されており、当たりの場合とハズレの場合とで特定の開閉パターンが選択される確率が予め決められている。このように、演出用役物３０を露出するまたは隠す演出を行うことで、演出画像のみでは表現できない臨場感のある演出を行うことができる。
【００２１】
図２及び図３に示すように、演出装置２６は、両開き扉２８と、演出用役物３０と、略箱形状のベース３２（図３では図示を省略）と、扉支持部材３４と、扉開閉機構３６と、フォトセンサ３８（検出部）とからなる。
【００２２】
両開き扉２８は、ベース３２の正面側に取り付けられており、演出用役物３０を収納する役物収納部（図示せず）の開口を開閉する。両開き扉２８は、一対の扉から構成されており、本実施形態では正面から見て左側に配置された扉を第１扉（一方の扉）２８ａと呼び、右側に配置された扉を第２扉（他方の扉）２８ｂと呼ぶ。
【００２３】
第１及び第２扉２８ａ，２８ｂの上部（扉一端部）側の互いに隣接するコーナ部には、それぞれ上方向に突き出た第１及び第２延設部４０ａ，４０ｂが一体に形成されている。そして、第１及び第２扉２８ａ，２８ｂは、扉支持部材３４より回動自在に支持（軸支）されている。扉支持部材３４は、両開き扉２８の上部裏面に対向する位置に設けられている。扉支持部材３４には、両開き扉２０の左右方向に並べて配置され、両開き扉２８の表面に略垂直な一対の第１及び第２回転軸４２ａ，４２ｂが設けられている。
【００２４】
第１回転軸４２ａは、第１延設部４０ａに形成された軸挿通穴（図示せず）に挿通される。また、第２回転軸４２ｂは、第２扉２８ｂの第２延設部４０ｂに形成された軸挿通穴に挿通される。従って、両扉２８ａ，２８ｂの上部（両延設部４０ａ，４０ｂ）が、両回転軸４２ａ，４２ｂにより別々に軸支される。これにより、両開き扉２８を、両扉２８ａ，２８ｂ同士が当接して扉裏面側の演出用役物３０を隠す閉じ状態（図２参照）と、両扉２８ａ，２８ｂが互いに遠ざかる方向に回転して演出用役物３０を露呈させる開き状態（図３参照）とに開閉させることができる。
【００２５】
また、第１及び第２延設部４０ａ，４０ｂには、回転軸周りに回転可能な状態で互いに噛合する一対の第１及び第２ギヤ部４４ａ，４４ｂ（連動機構）が形成されている。このため、第１扉２８ａが第１回転軸４２ａを中心として回転されると、両ギヤ部４４ａ，４４ｂを介して、第２扉２８ｂが第２回転軸４２ｂを中心として逆方向に連動して回転される。
【００２６】
第１扉２８ａを開き位置に回転（図中時計回り）させると、これに連動して第２扉２８ｂも開き位置に回転（図中反時計回り）されて、両開き扉２８が開き状態となる。また逆に、第１扉２８ａを閉じ位置に回転（図中反時計回り）させると、これに連動して第２扉２８ｂも閉じ位置に回転（図中時計回り）されて、両開き扉２８が閉じ状態となる。
【００２７】
扉開閉機構３６は、スライダ４６と、扉インサートピン（係合部材）４８と、スライダ移動機構５０とから構成される。スライダ４６は、両開き扉２８に平行な略平板状に形成されており、ベース３２内に設けられている。本実施形態では、スライダ１６は、両開き扉２８の左側で且つ両開き扉２８よりも一段奥まった位置で、両開き扉２８の上下方向（以下、第１スライド方向という）にスライド移動自在に保持されている。
【００２８】
図４に示すように、ベース３２の正面を構成するベース側壁部３２ａの内壁面には、第１スライド方向に平行なスライダガイド溝５２が形成されている。そして、スライダ４６の両開き扉側の側端部には、スライダガイド溝５２に係合するガイド５４が形成されている。なお、スライダ４６の背面側には、詳しくは後述するスライダ移動機構５０が当接するため、ガイド５４がスライダガイド溝５２から外れるおそれはない。これにより、スライダ４６は、スライダガイド溝５２に沿ってスライド移動自在に保持される。なお、図中の符号５６は、詳しくは後述するが、扉インサートピン４８が挿通されるピン挿通穴である。
【００２９】
図２及び図３に示すように、扉インサートピン４８は、両回転軸４２ａ，４２ｂの軸方向（以下、単に回転軸方向という）に平行な姿勢で第１扉２８ａの下部（扉他端部）に固定される。具体的には、扉インサートピン４８の一端部が、第１扉２８ａの下部に固定されたピン保持部材５８により保持される。また、扉インサートピン４８の他端部は、ベース側壁部３２ａのピン挿通穴５６（図４参照）を挿通して、スライダ４６に対して両開き扉２８の左右方向（以下、第２スライド方向という）にスライド移動自在に係合している。具体的には、スライダ４６に形成された第２スライド方向に平行な第１長孔５９に、スライド移動自在に係合されている。
【００３０】
スライダ移動機構５０は、スライダ４６の背面側に配置されており、扉開閉用モータ（以下、単にモータという）６０と、クランク６２とから構成される。モータ６０は、その駆動軸６０ａが回転軸方向に平行になるように配置されている。このモータ６０としては、例えばステッピングモータが使用される。
【００３１】
クランク６２は、その一端部にモータ６０の駆動軸６０ａが挿通されて、この駆動軸６０ａと一体に回転する駆動軸挿通部６２ａが形成されている。また、クランク６２の他端部には、回転軸方向に平行でスライダ４６に向かって延びたクランクインサートピン６４が設けられている。このクランクインサートピン６４は、スライダ４６に形成された第２スライド方向に平行な第２長孔６６にスライド移動自在に係合されている。
【００３２】
モータ６０の駆動軸６０ａが図中反時計回りに回転すると、クランク６２も駆動軸６０ａを中心として反時計回りに回転する。そして、クランクインサートピン６４が、第２長孔６６に沿って図中左方向にスライド移動されつつ上昇することで、スライダ４６が上昇される。また、モータ６０の駆動軸６０ａが図中時計回りに回転すると、クランクインサートピン６４が、第２長孔６６に沿って図中右方向にスライド移動されつつ下降することで、スライダ４６が下降される。つまり、モータ６０の駆動軸６０ａを正逆回転させることで、クランクインサートピン６４を介してスライダ４６を第１スライド方向に往復移動させることができる。なお、スライダ４６の移動可能範囲は、クランク６２の駆動軸挿通部６２ａとクランクインサートピン６４との間の距離を変えることで調整可能である。
【００３３】
図５及び図６に示すように、クランク６２が駆動軸６０ａを中心として図中反時計回り（矢印Ａ方向）に回転すると、スライダ４６が上昇（矢印Ｂ方向）する。スライダ４６が上昇すると、扉インサートピン４８もスライダ４６と共に上昇する。この際に、扉インサートピン４８が固定されている第１扉２８ａ（図３及び図４参照）には、第１回転軸４２ａを中心として時計方向に回転する力が掛かる。また、本実施形態では、上述のピン挿通穴５６（図４参照）の形状が、第１扉２８ａと一体に回転される扉インサートピン４８の軌跡に沿う円弧状に形成されている。このため、スライダ４６が上昇すると、扉インサートピン４８が第１長孔５９に沿って左方向（矢印Ｃ方向）に移動する。これにより、扉インサートピン４８を介して第１扉２８ａが閉じ位置から開き位置に向けて回転され、さらに、第１及び第２ギヤ部４４ａ，４４ｂを介して第２扉２８ｂも連動して開き位置に向けて回転される。
【００３４】
また逆に、クランク６２が図中時計回りに回転すると、スライダ４６が下降して、扉インサートピン４８もスライダ４６と共に下降する。この場合には、扉インサートピン４８が第１長孔５９に沿って右方向に移動する。これにより、扉インサートピン４８を介して、第１扉２８ａが開き位置から閉じ位置に向けて回転され、これに連動して第２扉２８ｂも閉じ位置に向けて回転される。
【００３５】
このように本実施形態では、モータ６０を駆動してクランク６２を正逆回転させることで、スライダ４６を第１スライド方向に往復移動させるとともに、スライダ４６を介して扉インサートピン４８を第２スライド方向に往復移動させて、両開き扉２８を開閉することができる。なお、上述のスライダガイド溝５２（図４参照）や、スライダ４６の各長孔５９，６６は、スライダ４６、各インサートピン４８，６４が往復移動可能な長さと位置に形成されている。
【００３６】
フォトセンサ３８は、両開き扉２８が閉じ状態にあるか否かを検出する。具体的には、フォトセンサ３８は、両開き扉２８が閉じ状態にあるときのスライダ４６の位置を原点位置（図２及び図５参照）としたときに、このスライダ４６が原点位置にあるか否かで両開き扉２８が閉じ状態にあるか否かを判定する。このフォトセンサ３８は、第２スライド方向に沿う断面形状が略コの字型に形成されており、互いに対向して配置された受光部３８ａと発光部３８ｂとを備えている。
【００３７】
また、スライダ４６の図中左側端部には、ベース３２の背面に向かう方向に延びた略板状の遮光部６８が形成されている（図３及び図４参照）。そして、フォトセンサ３８は、原点位置にあるスライダ４６の遮光部６８が受光部３８ａと発光部３８ｂとの間に位置するように配置されている。従って、スライダ４６が原点位置にあるときは、発光部３８ｂから受光部３８ａに向けて照射される光線が遮光部６８により遮られる。また、スライダ４６が原点位置から上昇すると、発光部３８ｂから照射された光線が受光部３８ａで受光される。これにより、受光部３８ａからの出力信号に基づき、スライダ４６が原点位置にあるか否か、つまり、両開き扉２８が閉じ状態にあるか否かが検出される。
【００３８】
図７に示すように、パチンコ機１０の全体の動作は基本的に主制御回路７０及び副制御回路７２により制御される。主制御回路７０は、大別してＣＰＵ７４と、ＲＯＭ７６と、ＲＡＭ７８と、電子抽選部８０と、図柄抽選部８２と、開閉パターン抽選部８４とから構成されている。
【００３９】
ＣＰＵ７４は、ＲＯＭ７６に記憶されている遊技制御プログラムに基づいて、パチンコ機１０の遊技状態を制御する。また、ＣＰＵ７４には、始動入賞センサ８６、通常入賞センサ８８、特別入賞センサ９０、賞球払い出し装置９２、遊技球発射装置９４、アタッカ駆動装置９６などが接続されている。ＲＡＭ７８は、ワーキングエリアとなっており、遊技において利用されるデータなどの一時的保管や書き換えなどに用いられる。
【００４０】
始動入賞センサ８６は、始動入賞口１６（図１参照）に入った遊技球を検知する。通常入賞センサ８８は、通常入賞口１８に入った遊技球を検知する。特別入賞センサ９０は、アタッカ２０が開放した時に出現する大入賞口（図示せず）に入った遊技球を検知する。
【００４１】
賞球払い出し装置９２は、遊技球が各入賞口に入賞した際に入力される払い出しコマンドに応答して規定数の遊技球を賞球として払い出す。遊技球発射装置９４は、遊技者の発射ハンドルの回動操作に応答して遊技領域１４に遊技球を１球ずつ発射する。遊技球の発射強さは発射ハンドルの回動量に応じて調節される。アタッカ駆動装置９６は、当たりモードでアタッカ２０を開閉する。
【００４２】
電子抽選部８０は、始動入賞口１６に遊技球が入賞したときにＣＰＵ７４からコマンドを受けて乱数を利用した電子抽選（当たり抽選）を行い、当たり又はハズレを決定する。図柄抽選部８２は、電子抽選の結果に応じた図柄抽選を行い、図柄２５の変動表示後に停止させる図柄２５の停止パターンを決定する。なお、当たりに当選した場合は必ず図柄２５の変動表示の過程でリーチ表示が表示されるが、ハズレの停止パターンにもリーチ表示を経由してハズレが表示される態様、すなわち同一図柄２５が２つ停止した後にハズレが表示される停止パターンも含まれている。
【００４３】
開閉パターン抽選部８４は、電子抽選部８０による抽選結果が当たりであるかハズレであるかに基づいて、図柄２５が変動表示される期間に両開き扉２８を開閉させる開閉パターンの抽選を行い、開閉パターンを決定する。開閉パターン抽選部８４は、当たり用のテーブルとハズレ用のテーブルとを備えており、各々のテーブルでは同一の開閉パターンの選択確率が異なっている。これにより、例えば開閉パターンＡは当たりの時のほうがハズレの時よりも選択確率が高く、開閉パターンＢはハズレの時のほうが当たりの時よりも選択確率が低いというように、開閉パターンの種類によって当たり期待度を表現することができる。
【００４４】
例えば、開閉パターンＡでは、開閉パターンＢよりも図柄変動表示中の両開き扉２８の開閉数を増やすことで、遊技者に当たりに対する高い期待感を抱かせることができる。この場合には、扉閉じ時に生じる衝突音の発生回数が増えることでも遊技者に高い期待感を抱かせることができる。また、開閉パターンＡでは、開閉パターンＢよりも両開き扉２８の開閉速度を上げることで、遊技者に高い期待感を抱かせるようにしてもよい。さらに、開閉パターンＡでは両開き扉２８が開き状態（全開状態）に開かれる割合を増やす一方で、開閉パターンＢでは両開き扉２８が僅かにしか開かない半開き状態の割合を増やすことで、当たり期待度を表現するようにしてもよい。
【００４５】
図示は省略するが、ＣＰＵ７４には演出画像抽選部も接続されている。そして、この演出画像抽選部により、電子抽選部８０による抽選結果が当たりであるかハズレであるかに基づいて、図柄変動表示中に図柄表示装置２４により表示される演出画像の抽選が行われ、演出画像が決定される。
【００４６】
副制御回路７２は、表示制御部９８と、本発明の制御部に相当するモータ制御部１００とから構成されている。表示制御部９８は、ＣＰＵ７４からの制御信号を受けて、図柄２５の変動表示、演出画像表示、リーチ表示、当たり／ハズレ表示などの図柄表示装置２４の表示制御を行う。
【００４７】
モータ制御部１００は、ＣＰＵ７４からの制御信号を受けて、開閉パターン抽選部８４で決定された開閉パターンに基づき両開き扉２８が開閉されるように、モータ６０の駆動を制御する。また、モータ制御部１００にはフォトセンサ３８が接続されている。また、モータ制御部１００は、両開き扉２８を閉じる際にフォトセンサ３８から出力される検出信号に基づき、両開き扉２８が閉じ状態にあると判定してモータ６０の駆動を停止する。なお、両開き扉２８が開き状態にあるか否かは、閉じ状態からモータ６０の駆動軸６０ａが所定角度分だけ回転したか否かで判定することができる。
【００４８】
次に、本実施形態のパチンコ機１０の作用について説明する。遊技者が発射ハンドル（図示せず）の回動操作を行うと遊技球が１球ずつ遊技領域１４に打ち出される。遊技球は、遊技釘等の障害物に衝突しながら遊技領域１４を流下する。遊技領域１４を流下した遊技球は、始動入賞口１６又は通常入賞口１８に入賞するか、これらに入賞しなかった場合はアウト球として回収される。
【００４９】
始動入賞口１６に遊技球が入賞した場合には、ＣＰＵ７４からの制御信号を受けて電子抽選部８０により電子抽選が実行され、当たり又はハズレが決定される。電子抽選が終了すると、その結果に応じて図柄抽選部８２により図柄抽選が行われるとともに、開閉パターン抽選部８４により開閉パターン抽選が行われる。
【００５０】
各抽選が終了すると、ＣＰＵ７４からの制御信号を受けて表示制御部９８は、図柄表示装置２４による図柄２５の変動表示を開始させる。次いで、表示制御部９８は、図柄変動表示中に、図柄表示装置２４による演出画像の表示を開始させる。
【００５１】
また、ＣＰＵ７４からの制御信号を受けてモータ制御部１００は、決定された開閉パターンに基づき両開き扉２８が開閉されるように、モータ６０の駆動を制御する。例えば、閉じ状態にある両開き扉２８を開き状態に切り替える場合には、モータ制御部１００は、上述の図３に示すように、モータ６０の駆動軸６０ａを反時計回り（矢印Ａ方向）に回転させて、クランク６２を反時計回りに回転させる。これにより、クランクインサートピン６４を介してスライダ４６が上昇（矢印Ｂ方向）される。
【００５２】
スライダ４６が上昇されると、扉インサートピン４８がスライダ４６と一体に上昇されつつ、第１長孔５９に沿って図中左方向（矢印Ｃ方向）に移動される。これにより、第１扉２８ａが閉じ位置から開き位置に向けて回転され、さらに、第１及び第２ギヤ部４４ａ，４４ｂを介して第２扉２８ｂも連動して開き位置に向けて回転される。こうして、両開き扉２８が閉じ状態から開き状態に切り替わり、演出用役物３０が露出される。
【００５３】
また、開き状態にある両開き扉２８を閉じ状態に切り替える場合には、モータ制御部１００は、上述の図２に示すように、モータ６０の駆動軸６０ａを時計回りに回転させて、クランク６２も時計回りに回転させる。これにより、クランクインサートピン６４を介してスライダ４６が下降される。
【００５４】
スライダ４６が下降されると、扉インサートピン４８がスライダ４６と一体に下降されつつ、第１長孔５９に沿って図中右方向に移動される。これにより、第１扉２８ａが開き位置から閉じ位置に向けて回転され、第１及び第２ギヤ部４４ａ，４４ｂを介して、第２扉２８ｂも連動して閉じ位置に向けて回転される。そして、スライダ４６が原点位置まで下降されると、フォトセンサ３８の発光部３８ｂから照射される光線が遮光部６８で遮られて、フォトセンサ３８より検出信号が出力される。
【００５５】
モータ制御部１００は、フォトセンサ３８から検出信号が入力されると、モータ６０の駆動を停止する。これにより、第１及び第２扉２８ａ，２８ｂが閉じ位置で停止されて、両開き扉２８が開き状態から閉じ状態に切り替わり、扉裏面側に演出用役物３０が隠れる。
【００５６】
以下同様にして、モータ制御部１００は、開閉パターン抽選部８４で決定された開閉パターンに基づき両開き扉２８が開閉されるようにモータ６０の駆動を制御して、演出用役物３０を露出または隠すことで演出を実行する。
【００５７】
このように本実施形態では、両開き扉２８の第１扉２８ａを開き位置または閉じ位置に回転させたときに、第１及び第２ギヤ部４４ａ，４４ｂを介して、第２扉２８ｂも連動して開き位置または閉じ位置に回転されるようにしたので、一つのモータ６０で両開き扉２８の開閉を行うことができる。その結果、従来のように２つのモータを用いて第１及び第２扉２８ａ，２８ｂを別々に開閉させる場合とは異なり、各扉２８ａ，２８ｂが同期して開閉されるように複雑なソフト的及びメカ的な調整を行う必要が無くなる。その結果、従来よりもパチンコ機１０（演出装置２６）の製造コストを低く抑えることができる。また、従来よりもモータの設置数を減らすことができるので、演出装置２６が大型化することが防止される。
【００５８】
また、両開き扉２８の各扉２８ａ，２８ｂの上部（第１及び第２延設部４０ａ，４０ｂ）を第１及び第２回転軸４２ａ，４２ｂで別々に軸支するようにしているので、各扉２８ａ，２８ｂを連動して開閉させるための連動機構を第１及び第２ギヤ部４４ａ，４４ｂのみで構成することができる。その結果、連動機構が複雑化して演出装置２６が大型化することや、パチンコ機１０（演出装置２６）の製造コストが高くなることが防止される。
【００５９】
また、図柄変動表示中に両開き扉２８を所定のパターンで開閉させる際に、モータ６０を駆動源として、従来のように減速ギヤを介して第１扉２８ａを正逆回転させると、減速ギヤの数にもよるが駆動軸６０ａの僅かな回転で各扉２８ａ，２８ｂが大きく回転してしまう。その結果、従来では両開き扉２８を所定のパターンで開閉させたり、両開き扉２８をゆっくり開けたり、両開き扉２８を僅かにしか開かない半開き状態にしたりすることが難しかった。
【００６０】
これに対して本実施形態では、スライダ４６及び扉インサートピン２８を介して第１扉２８ａを開閉させるようにしたので、これらを容易に実行することができる。また、扉インサートピン２８を第１回転軸４２ａからより離れた位置（第１扉２８ａの下部）に固定することで、扉インサートピン２８が僅かに移動しても第１扉２８ａの回転角度を小さくすることができ、両開き扉２８ａの僅かな開閉を容易に実行することができる。これにより、両開き扉２８の開閉パターンのバリエーションを増やすことができる。
【００６１】
また、フォトセンサ３８を用いてスライダ４６が原点位置にあるか否かを検出して、両開き扉２８が閉じ状態にあるか否かを判定するようにしたので、両開き扉２８が閉じ状態にあるか否かを容易に検出することができる。その結果、両開き扉２８を開き状態から閉じ状態に容易に戻すことができる。
【００６２】
なお、上記実施形態では、演出装置２６が図柄表示装置２４の上方に設けられている場合を例に挙げて説明を行ったが、本発明はこれに限定されるものでなく、パチンコ機１０の任意の位置に設けられていてもよい。
【００６３】
また、上記実施形態では、演出用役物３０としてキャラクタ人形や模型を例に挙げて説明を行ったが、本発明はこれらに限定されるものではなく、演出用役物が演出画像を表示する演出画像表示装置（図柄表示装置）であってもよい。この場合にも電子抽選の結果に基づき、両開き扉２８を開閉して演出画像表示装置の表示面を露出または隠すことで、演出画像表示のみでは表現できない臨場感のある演出を行うことができる。
【００６４】
なお、上記実施形態では、スライダ４６を第１スライド方向に往復移動させることで、扉インサートピン４８を介して第１扉２８ａが開閉されるが、本発明はこれに限定されるものではない。例えば、スライダ４６及び扉インサートピン４８を両開き扉２８の右側に配置して、第２扉２８ｂを開閉させるようにしてもよい。
【００６５】
また、上記実施形態では、スライダ４６が第１スライド方向にスライド移動自在に保持されるとともに、扉インサートピン４８がスライダ４６に対して第２スライド方向にスライド移動自在に係合しているが、本発明はこれに限定されるものではない。例えば、スライダ４６が第２スライド方向にスライド移動自在に保持されるとともに、扉インサートピン４８がスライダ４６に対して第１スライド方向にスライド移動自在に係合している場合でも同様に両開き扉２８の開閉を行うことができる。従って、両開き扉２８を開閉可能であれば、スライダ４６及び扉インサートピン４８が任意の方向にスライド移動自在に保持・係合されていてもよい。
【００６６】
なお、上記実施形態では、一端部が第１扉２８ａの下部に固定され、他端部がスライダ４６に対して第２スライド方向にスライド移動自在に係合する係合部材として、扉インサートピン４８を例に挙げて説明を行ったが、本発明はこれに限定されるものではなく、各種形状の係合部材を用いてもよい。
【００６７】
また、上記実施形態では、フォトセンサ３８を用いてスライダ４６が原点位置にあるか否かを検出することで、両開き扉２８が閉じ状態にあるか否かを判定するようにしているが、本発明はこれに限定されるものではなく、例えば接触型のセンサ等の各種センサを用いてスライダ４６が原点位置にあるか否かを検出するようにしてもよい。また、両開き扉２８が閉じ状態にあるか否かを直接検出するようにしてもよい。さらに、両開き扉２８が開き状態にあるか否かも同様に検出するようにしてもよい。
【００６８】
なお、上記実施形態では、両開き扉２８として、各扉２８ａ，２８ｂの上部が各回転軸４２ａ，４２ｂにより別々に軸支されているタイプを例に挙げて説明を行ったが、本発明はこれに限定されるものではない。例えば、各扉の下部が各回転軸により別々に軸支されているタイプ、または観音扉式やスライド式などの各種の両開き扉が設けられていてもよい。この場合には、両開き扉の開閉方式に合わせて連動機構を変えればよい。
【００６９】
また、上記実施形態では、スライダ４６を第１スライド方向に往復移動させる駆動源として、モータ６０を例に挙げて説明を行ったが、本発明はこれに限定されるものではなく、例えばソレノイドなどを駆動源として用いるようにしてもよい。
【００７０】
なお、上記実施形態ではパチンコ機１０に設けられている演出装置２６を例に挙げて説明を行ったが、本発明はこれに限定されるものではない。例えばスロットマシンなどの各種遊技機に設けられ、図柄変動表示中に両開き扉を開閉させて、演出用役物を露出または隠すことにより演出を行う各種遊技機用演出装置にも同様に本発明を適用することができる。
【図面の簡単な説明】
【００７１】
【図１】パチンコ機の正面概略図である。
【図２】両開き扉が閉じ状態にある演出装置の斜視図である。
【図３】両開き扉が開き状態にある演出装置の斜視図である。
【図４】スライダを背面（裏面）側から見た背面図である。
【図５】両開き扉が閉じ状態にあるときのクランク、スライダ、扉インサートピンの位置を説明するための説明図である。
【図６】両開き扉が開き状態にあるときのクランク、スライダ、扉インサートピンの位置を説明するための説明図である。
【図７】パチンコ機の電気的構成を示すブロック図である。
【符号の説明】
【００７２】
１０  パチンコ機（遊技機）
１４  遊技領域
１６  始動入賞口
２４  図柄表示装置
２５  図柄
２６  演出装置（遊技機用演出装置）
２８  両開き扉
２８ａ，２８ｂ  第１、第２扉（一方、他方の扉）
３０  演出用役物
３６  扉開閉機構
３８  フォトセンサ（検出部）
４２ａ，４２ｂ  第１、第２回転軸（一対の回転軸）
４４ａ，４４ｂ  第１、第２ギヤ部（一対のギヤ部：連動機構）
４６  スライダ
４８  扉インサートピン（係合部材）
５０  スライダ移動機構
６０  扉開閉用モータ（モータ）
６２  クランク
１００  モータ制御部（制御部）
【図１】
2008113757.tif 000003
【図２】
2008113757.tif 000004
【図３】
2008113757.tif 000005
【図４】
2008113757.tif 000006
【図５】
2008113757.tif 000007
【図６】
2008113757.tif 000008
【図７】
2008113757.tif 000009